(57)【要約】【目的】  本発明は、コーヒー豆を原料とする描画作材料及びその材料を使った描画作成方法に関するもので、単一の原料で数種類に色分けした細かな顆粒を造り、その顆粒を使って任意の図柄を作成できるようにしたものである。【解決手段】  コーヒー豆を原料とする描画材料及びその描画作成方法において、コーヒー豆を皮が剥ける状態から焙煎時間の差によって当該コーヒー豆を淡い色から黒焦げまでの数種類に煎り分け、煎り分けたコーヒー豆ごとに電動ミルで細挽きして細かな顆粒にし、これを接着剤付きの台紙又はプレートの基材に描いた図柄にのせ置くように使用することを特徴とするコーヒー豆を原料とする描画材料の構成。【選択図】      図１
2013193221.tif 000002
【特許請求の範囲】
【請求項１】
コーヒー生豆を皮が剥ける状態から焙煎時間の差によって当該コーヒー豆を淡い薄い茶色から黒焦げの黒色までの数種類に煎り分け、煎り分けたコーヒー豆ごとに電動ミルで細挽きして顆粒にし、これを台紙又はプレートの基材に描いた図柄にのせ置いて接着剤を介して定着させるようにすることを特徴とするコーヒー豆を原料とする描画作成用材料。
【請求項２】
コーヒー豆を皮が剥ける状態から煎り加減によって当該コーヒー豆の濃さを淡い色から黒焦げまでの数種類に煎り分け、煎り分けたコーヒー豆ごとに電動ミルで顆粒状に細挽きして保管し、接着剤を台紙又はプレートに描いた図柄の最も濃い色の部分に接着剤を塗布し、その塗布した部分に最も濃い色の顆粒をのせ、少し間をおいた後、余分な顆粒を除去し、以後この工程を繰り返して最後に最も淡くて薄い色の顆粒をのせ、乾いたら各濃淡の顆粒の境界の隙間や全体的に見て修正が必要な部分に接着剤を塗布して選定した色の顆粒をのせて調整してなることを特徴とするコーヒー豆を原料とする描画作成方法。
【発明の詳細な説明】
【技術分野】
【０００１】
本発明は、コーヒー豆を原料とする描画材料及びその材料を使った描画作成方法に関するもので、単一の原料で数種類に色分けした細かな顆粒を造り、その顆粒を使って任意の人物や建物又は風景等の描画を作成できるようにしたものである。
【背景技術】
【０００２】
一般に砂絵と称されるものは、絵具と同じように予め多色に色分けしたカラー砂を図柄の上にのせ置いてようにして作成するものである。
【０００３】
例えば、特許文献１は、自然石を粉砕してこれに高熱を加えて着色した砂絵に製造方法、特許文献２は、台紙の粘着層に着色砂を貼着して砂絵を作るための砂絵材料、特許文献３は、着色繊維にコロダイルシリカを水ガラスで附着させた砂絵用着色砂、特許文献４は、自然石を粉砕した砂状粉体又は白色のプラスチック顆粒粉体等からなる畜光砂状粉体並びに非畜光砂状粉体に関する発明が開示されている。
【先行技術文献】
【特許文献】
【０００４】
【特許文献１】特開昭５１−１２２５６２号公報
【特許文献２】実開昭６０−１８７１００号公報
【特許文献３】実開昭６１−    ５６９６号公報
【特許文献４】特開平０８−  ２５８９９号公報
【発明の概要】
【発明が解決しようとする課題】
【０００５】
上記砂絵用材料は、いずれも多色に着色した描画材料を用意しておかなければならない。これに対して単一材料で加工加減次第で数種類の色の描画材料ができれば便利である。
【課題を解決するための手段】
【０００６】
本発明の第１は、コーヒー豆を原料とする描画材料において、コーヒー豆を皮が剥ける状態から焙煎時間の差によって当該コーヒー豆を淡い色から黒焦げまでの数種類に煎り分け、煎り分けたコーヒー豆ごとに電動ミルで細挽きして顆粒にし、台紙又はプレートの基材に描いた図柄にのせ置くように使用するようにしたものである。
【０００７】
本発明の第２は、コーヒー豆を原料とする材料を使った描画作成方法において、コーヒー豆を皮が剥ける状態から煎り加減によって当該コーヒー豆の濃さを淡い色から黒焦げまでの数種類に煎り分け、煎り分けたコーヒー豆ごとに電動ミルにかけて細挽きして細かな顆粒状にしてこれを保管し、木工用ボンド(接着剤)を水で薄めて台紙又は木質もしくは金属製のプレートに描いた描画の最も濃い色の部分にボンドを筆で塗り、塗った部分に最も濃い色の顆粒をのせ、少し間をおいた後、紙を裏返して余分な顆粒を落とし、以後この工程を繰り返して最後に最も淡い色の顆粒をのせ、乾いたら各濃淡の顆粒の境界の隙間や全体的に見て修正が必要な部分にボンドを塗って選定した色の顆粒をのせて調整してなるものである。
【発明の効果】
【０００８】
本発明は上記の構成であるから、次のような効果がある。すなわち、嗜好飲料のコーヒーの原料であるコーヒー豆を人物や建物や風景等の描画材料として活用することができる。そして、１種類のコーヒー豆から淡い薄い色から濃黒色までの間で数種類の色違いの煎り豆ができ、これを細かい顆粒状に加工することで、橙・茶系の色をなすコーヒーブラウンを含む色を組み合わせることができ、これらの色を使用するのに適する描画材料を得ることができる。
【０００９】
また、コーヒーの生豆を柄付きの金網製深底皿をガスバーナーの火力で皮が剥ける状態から例えば５分、１０分、１５分、２０分と時間差つけ、さらに分単位で煎り分けることによって、淡色から濃黒色までの最小でも４種類以上の出来上がった色違いのコーヒー豆を電動ミルで細挽きすることによって、人工的に着色加工をしないでも微妙な色合いを成す描画材料が得られる効果がある。この描画材料は焙煎してあることにより、生豆と比べて臭さがなく、香ばしいにおいがあり、且つカビが生えにくい状態を保つことができる。
【図面の簡単な説明】
【００１０】
【図１】本発明に係る描画材料で作成した肖像画である。
【図２】焙煎前のコーヒー生豆の平面図である。
【図３】浅煎り状態の斜視図である。
【図４】金網製深皿で濃黒色に煎り上げた状態の焙煎豆の斜視図である。
【図５】浅煎りから濃黒色まで数種類に煎り上げたコーヒー豆の描画原料の斜視図である。
【発明を実施するための形態】
【００１１】
本発明は、描画材料を得るために、まず、コーヒーの生豆を用意し、これを金網製柄付きで適度の深さを有する深底皿に収容し、ガステーブルにのせ、ほぼ同一の火力のもとで生豆の皮が剥ける状態から５分程煎って、最初の浅煎りで淡くて薄い色の煎り豆を作る。次に、コーヒー生豆を金網製深皿に収容してガステーブルでの１０分間の加熱で褐色の濃い煎り豆を作る。さらに、次いで、コーヒー生豆を金網製深底皿に収容して約１５分間煎って深煎りの濃褐色の煎り豆を作る。最後にコーヒー生豆を金網製深底皿に収容し、約２０分間煎って焦げた黒色の煎り豆に煎り上げることによって、色違いの複数の描画原料を作る。
【００１２】
次に、上記の描画原料を色違いごとに電動ミルに投入して細挽きして約１ｍｍ以下の細かな顆粒を得る。この顆粒が描画材料となる。
【００１３】
そして、上記の描画材料を使って、あらかじめ用意した描画用の下絵に所定の色ごとに接着剤を画用紙や金属プレート等の基材の塗布面の上に描画材料をのせ置いて定着させ、この作業を順次に行うことによって肖像画や建物等の描画を完成する。
【実施例】
【００１４】
次に、本発明の実施例を図面に沿って説明する。１は焙煎前のコーヒーの生豆であり、このままの状態では、濃緑色や黄土色をしている。なお、においは生臭い。
２は焙煎したコーヒー豆であり、焙煎時間を数分ごとに差をつけて数種の色分け（２１〜２ｎ）を行う。
３は手網と呼ばれる金網製の柄付きの深底皿であり、この中に入れたコーヒー生豆１を煎るものであり、深底の柄を持って、適度に揺すりながらガスの火力で焙煎するようにする。
４はガステーブル、５は描画用の下絵であり、画用紙や上質紙などの台紙又はアルミ薄板などのプレート等に描かれている。
６は焙煎して煎り分けたコーヒー豆２１〜２ｎの描画原料２を電動ミル（図示省略）に投入して細引きして１ｍｍ以下の顆粒にすることによって描画材料６１〜６ｎが得られる。７は描画用基材であり、画用紙やケント紙などの台紙、又は薄いアルミニウム等のプレートを可とする描画用基材である。
【００１５】
「具体的な描画材料の製法」
（１）コーヒーの生豆１を用意し、これを金網製で適度の深さを有する柄付き深底皿３に収容し、ガステーブル４にのせ、ほぼ同じ条件の火力のもとで生豆１の皮が剥ける状態から５分程煎って、最初の浅煎りで淡い薄い色の煎り豆２１を作る。図中２′は生豆を煎ることによって剥けたコーヒー豆の皮である。
（２）コーヒー生豆１を金網製深皿３に収容してガステーブル４で１０分間の加熱で褐色の煎り豆２２を作る。
（３）コーヒー生豆１を金網製深皿３に収容して約１５分間煎って濃褐色の煎り豆２３を作る。
（４）コーヒー生豆１を金網製深皿３に収容して約２０分間煎って焦げた黒色に煎り豆２ｎを作り、上げることによって、色違いの複数の描画原料２（２１〜２ｎ）を作る。
（５）上記の描画原料を色違いごとに電動ミルに投入して細引きして約１ｍｍ以下の顆粒を得る。この顆粒が描画材料６１〜６ｎとなる。
【００１６】
「具体的な描画作成例」
そして、上記の描画原料を使って、あらかじめ用意した描画用の下絵５に所定の異なる色ごとに接着剤として木工用ボンドを水で薄め、筆を用いて塗布し、その塗布面に先ず1番淡くて薄い色の描画材料６１をのせ置き（図１で「肖像画の額や頬の部位など」）、少し時間をおいて台紙となる基材７を裏返して接着剤を塗布した部位から外れた描画材料６１を払い落として余分な描画材料を除去する。この払い落とし操作は２番目以後の描画材料の乗せ置き操作でも同じである。
【００１７】
次に、２番目として少し色のついた薄茶色部位に接着剤を塗布して描画材料６２をのせ置く（図１で「人物顔の眉毛の部位等」）。
【００１８】
次いで、３番目として色が濃いめの茶色部位に接着剤を塗布して描画材料６３をのせ置く（図１で「人物顔の口髭と顎髭の部位等」）。
【００１９】
４番目に濃褐色や黒焦げの黒色の描画材料６ｎをのせ置く（図１で「人物顔のサングラスと髪の毛の部位等」）。なお、描画対象によっては、1番目の描画材料６１から４番目の描画材料６ｎの間にはさらに焙煎の時間を調節して複数の色加えるために生豆煎り分けることを行うものである。
【００２０】
上記の描画作成に当たって、接着剤として用いる木工用のボンドの基材７への塗布、及び描画材料６１〜６ｎののせ置き、余分な描画材料の基材７からの除去作業を順次に行い、木工用のボンドが乾いたら隣接する色違いの境界の隙間や全体的にみての修正部分を木工用ボンドと筆で塗布しながら調整して下絵５からの描画を完成する。なお、上記の描画作成例は薄い色から濃い色の順にのせ置くようにのせ置くものを示すが、濃い色から薄い色の順にのせ置くこともできる。
【産業上の利用可能性】
【００２１】
本発明は、嗜好飲料専用のコーヒー豆を巧みな工夫によって、単一種類の原料で砂絵と同様な描画作成に活用することができる。
【符号の説明】
【００２２】
１……コーヒーの生豆
２（２１〜２ｎ）……色違いに煎り分けた焙煎豆
３……金網製柄付きの深底皿
４……ガステーブル
５……下絵
６（６１〜６ｎ）……色違いに煎り分けた焙煎豆を顆粒にした描画材料
７……基材
【図１】
2013193221.tif 000003
【図２】
2013193221.tif 000004
【図３】
2013193221.tif 000005
【図４】
2013193221.tif 000006
【図５】
2013193221.tif 000007